(57)【要約】【課題】  厚さや幅等の大小の大きさの異なる２種類のカードを同一のカード用複合コネクタに挿入して使用する際に、カードに特別な細工を加えること無く、好適に利用でき、小さいカードの接触力を保持する可動板が上下動することができる。【解決手段】  少なくとも一方が開口されているカード挿入口を有するコネクタ本体と、このコネクタ本体と組み合せられるカバー部材と、前記コネクタ本体内に配置された小カード用の第１コンタクト部材および大カード用の第２コンタクト部材を有する複数個のコンタクトとを備えたカード用複合コネクタにおいて、大きさの異なった２種類のカードを用いるように可動板と操作板を有する切換作動機構が設けられ、該切換作動機構により前記コネクタ本体内のカード装着部が切り換えられる。【選択図】  図４
2004311416.tif 000002
【特許請求の範囲】
【請求項１】
少なくとも一方が開口されているカード挿入口を有するコネクタ本体と、このコネクタ本体と組み合せられるカバー部材と、前記コネクタ本体内に配置された第１カード用の第１コンタクト部材および第２カード用の第２コンタクト部材を有する複数個のコンタクトとを備えたカード用複合コネクタにおいて、
大きさの異なった２種類の第１および第２のカードを用いるように可動板と操作板を有する切換作動機構が設けられ、該切換作動機構により前記コネクタ本体内のカード装着部が切り換えられることを特徴とするカード用複合コネクタ。
【請求項２】
前記第１カードの挿入時に前記切換作動機構の可動板を固定するために、弾性附勢されたロック機構を有していることを特徴とする請求項１記載のカード用複合コネクタ。
【請求項３】
前記コネクタ本体内には、大きさの異なるカードに対応するように段差部が配設されていることを特徴とする請求項１記載のカード用複合コネクタ。
【請求項４】
前記可動板は、左右側部が下方に折り曲げられた板状部材から形成され、上下方向に斜めに移動できるように前記操作板のガイド溝に沿って案内されるガイド部材であり、前記操作板は、第２カードが挿入される時に前記可動板が前記操作板によって上方に斜め方向にガイド部材によって移動されることを特徴とする請求項２記載のカード用複合コネクタ。
【請求項５】
前記ロック機構は、前記カバー部材または前記操作板の少なくとも一側に形成された片持ちばね形のロックアームと、該ロックアームの先端部がロック係合される突部を有する滑動可能に設けられたロック部材とから形成され、該ロック部材が前記可動板と連動されていることを特徴とする請求項２記載のカード用複合コネクタ。
【請求項６】
挿入された前記第１および/または第２カードを排出するイジェクト部材と、該イジェクト部材を弾性偏倚するばね部材とを有するイジェクト機構を有し、前記イジェクト部材にハート形カムを設け、該ハート形カムの周りにカム溝を形成して、一端が前記コネクタ本体に枢支されたカムレバーの他端を該カム溝にカム係合させていることを特徴とする請求項１記載のカード用複合コネクタ。
【請求項７】
前記段差部は、上部段差部と下部段差部とを有することを特徴とする請求項３記載のカード用複合コネクタ。
【請求項８】
前記カード挿入口は、カード挿入方向に直交する方向の断面形状が偏平な逆凸形をなしていて、両側部に、前記段差部が階段状に形成されており、前記上部段差部は、前記下部段差部よりも、左右段差部間の幅方向の寸法が大きいことを特徴とする請求項１記載のカード用複合コネクタ。
【請求項９】
前記カード挿入口の近傍において、前記第１カードの側辺部分を弾性的に押圧するための片持ち梁状の弾性部材が内方に突出するように前記下部段差部に沿って配置されたカード保持機構を有することを特徴とする請求項７または８記載のカード用複合コネクタ。
【請求項１０】
前記弾性部材は、合成樹脂材料のばね部材で、前記コネクタ本体と一体的に成形されることを特徴とする請求項９記載のカード用複合コネクタ。
【請求項１１】
前記樹脂材料のばね部材は、高さが左右で異なることを特徴とする請求項１０記載のカード用複合コネクタ。
【請求項１２】
前記弾性部材は、金属材料のばね部材で、前記コネクタ本体にモールド成形または圧入されることを特徴とする請求項９記載のカード用複合コネクタ。
【請求項１３】
前記第１カードを所要位置に誘導して案内するように前記上部段差部の一方にガイド用スロープが設けられていることを特徴とする請求項７または８記載のカード用複合コネクタ。
【発明の詳細な説明】
【技術分野】
【０００１】
本発明は、携帯電話機、電話機、ＰＤＡ（personal  digital  assistance）、ゲーム機、ノートパソコン、携帯型オーディオ、テレビ、ビデオ、デジタルカメラ等や情報端末機器等の電子機器のカード用複合コネクタに係わるもので、特に、大小の大きさの異なる２種類のカードを使用できるカード用複合コネクタに関するものである。
【背景技術】
【０００２】
近年、携帯電話機、電話機、ＰＤＡ（personal  digital  assistance）、ゲーム機、ノートパソコン、携帯型オーディオ、テレビ、ビデオ、デジタルカメラや、情報端末機器等の電子機器においては、ＣＰＵやメモリ用のＩＣチップと呼ばれるＩＣ部品が組込まれたＩＣカードやＰＣカード、ＳＤカード、ＳＩＭカード等の利用が非常に増大し、ＩＣカードやＰＣカード、ＳＤカードやＳＩＭカード等の小型のメモリカードを挿入するカード用複合コネクタが広く求められている。特に、カード用複合コネクタとして、コネクタ全体の形状を薄くして小型化を図り、カードの挿入と抜き出しに必要な十分な強度を有し、挿入されたカードを容易に放出することができ、大小の大きさの異なる２種類のカードを利用できるカード用複合コネクタが求められている（例えば、特許文献１参照。）。
【０００３】
【特許文献１】特開２００１−１３５３８５号公報（第３〜４頁、図５〜図９）
【発明の開示】
【発明が解決しようとする課題】
【０００４】
しかしながら、従来のカード用複合コネクタにおいては、ＩＣカードやＰＣカードまたはＳＤカードやＳＩＭカード等のカードを挿入して用いる際に、厚さや幅等の大小の大きさの異なるカードを同一のカード用複合コネクタにおいて使用する場合があるので、カードに何等かの細工を施すことが必要である。さらに、従来のこのようなカード用複合コネクタにおいては、各カードの寸法に合致したカード挿入口がカード装着部の開口として形成されている。この場合には、使用機器の小型化と内部プリント基板の実装スペースが制限されること等の理由によって、１つのカード用複合コネクタで大小の大きさの異なるカードの装着が要求されるようになってきている。
【０００５】
従来におけるこのようなカード用複合コネクタは、上記特許文献１に示されるように、厚さの厚い第１のカードの上側本体部の両側縁および厚さの薄い第２のカードのカード本体部の両側端を支持して、これら第１、第２のカードの挿脱移動を案内する一対の案内溝と、これら一対の案内溝で挟まれる空間の下方で第１のカードの下側本体部が収容される空間を画成するための側壁と、をコネクタハウジングに形成している。しかしながら、上記特許文献１の技術では、異なる２種類のカードを同一のカード用複合コネクタに挿入して使用することができるようにカードに細工を施すことが必須事項である。
【０００６】
また、カードが全体的に長さや幅、厚み等の大小の大きさが異なるために、カードに合わせたコンタクトを設定すると、大きいカードの挿入時にコンタクトの変位が大きくなり、大きいカードを挿抜すると、これらコンタクトによってカードに傷が付き、コンタクトの接触部が大きく削られて挿抜耐久性が減少する原因となり、さらにまた、コンタクトの座屈を防止するためにコンタクトの先端部の逃げを設けることによって実装高さが大きくなる等の問題点が見られる。
【０００７】
従って、本発明の目的は、このような従来における問題点を解決することを課題とするものである。具体的な本発明の目的は、厚さや幅等の大小の大きさの異なる２種類のカードを同一のカード用複合コネクタに挿入して使用する際に、カードに特別な細工を加えること無く、好適に利用でき、小さいカードの接触力を保持する可動板が上下動することができるカード用複合コネクタを提供することにある。
【課題を解決するための手段】
【０００８】
上述の目的を達成するために、本発明のカード用複合コネクタは、少なくとも一方が開口されているカード挿入口を有するコネクタ本体と、このコネクタ本体と組み合せられるカバー部材と、前記コネクタ本体内に配置された第１カード用の第１コンタクト部材および第２カード用の第２コンタクト部材を有する複数個のコンタクトとを備えたカード用複合コネクタにおいて、大きさの異なった２種類の第１および第２のカードを用いるように可動板と操作板を有する切換作動機構が設けられ、該切換作動機構により前記コネクタ本体内のカード装着部が切り換えられることを特徴とする。
【発明の効果】
【０００９】
本発明のカード用複合コネクタは、カード挿入口を有するコネクタ本体にカバー部材を組み合せ、内部に小カード用の第１コンタクトと大カード用の第２コンタクトとを配置すると共に、可動板と操作板を有する切換作動機構によってカード装着部を切り換えて、１つのカード用複合コネクタによって、断面形状寸法の相違する大小の大きさの異なる複数種類のカードを、カード自体に何等の細工を施さずに、かつ何の支障も無く共通して使用することができ、しかも適切な大小カードの使用を区別することができ、かつカード用複合コネクタ自体を偏平で薄形のハウジング形状に製作することができ、携帯電話機、電話機、ＰＤＡ、ゲーム機、ノートパソコン、携帯型オーディオ、テレビ、ビデオ、デジタルカメラや、カラオケ用マイクのような情報端末機器や各種の電子機器等に好適に使用することができる。
【発明を実施するための最良の形態】
【００１０】
本発明のカード用複合コネクタは、カード挿入口を有するコネクタ本体にカバー部材を組み合せ、内部に小カード用の第１コンタクトと大カード用の第２コンタクトとを配置すると共に、可動板と操作板を有する切換作動機構によってカード装着部を切り換えて、１つのカード用複合コネクタによって、断面形状寸法の相違する大小の大きさの異なる複数種類のカードを使用することができる。
【００１１】
本発明のその他の目的や特徴および利点は、添付図面に示される本発明の実施形態についての以下の詳細な説明から明らかである。
【実施例１】
【００１２】
図１乃至図１０は、本発明のカード用複合コネクタの実施例１を示す図で、図１は、本発明のカード用複合コネクタをカード挿入口側から見た全体の斜視図、図２はその平面図で、図３はカード挿入口側からの端面図、図４は、図１の本発明のカード用複合コネクタを、カバー部材を取外して示す図１と同じ様な斜視図で、図５は、図４の本発明のカード用複合コネクタのロック機構部分を示す拡大部分斜視図、図６は、図４の本発明のカード用複合コネクタのカバー部材を取外して示す平面図、図７はその側面図で、図８は、下側から見た底面図、図９は、カバー部材を取り外した図４の本発明のカード用複合コネクタの、さらに操作板を取り外した斜視図で、図１０は、図９のロック機構のロック部材部分の拡大部分斜視図である。
【００１３】
図１乃至図１０に示されるように、本発明のカード用複合コネクタ１は、薄くて幅が狭い小さなカードＡと、厚くて幅が広い大きなカードＢとを共通して使用することができるものである。本発明において使用されるこれらカードＡ、Ｂを、以下に、単に、「小カード」、「大カード」と言うものとする。
【００１４】
図１に示されるように、本発明におけるカード用複合コネクタ１は、コネクタ本体２と、カバー部材３と、第１コンタクト部材５および第２コンタクト部材６から構成される複数個のコンタクト４と、切換作動機構７と、ロック機構８と、イジェクト機構９とを有している。本発明のカード用複合コネクタ１は、コネクタ本体２とカバー部材３とを組み合わせて偏平な薄いハウジング形状のケースとして形成され、小カードＡと大カードＢとが挿入されて装着されるカード装着部１２が内部に設けられている。
【００１５】
このような本発明のカード用複合コネクタ１は、例えば情報端末機器等に装着して用いられるように構成されている。
【００１６】
また、本発明のカード用複合コネクタ１において、カード装着部１２の一方の側は開放されていて、所要の段付き形状の枠形部材１９によってカード挿入口１４が形成されており、さらに、小カードＡと大カードＢとを挿入して使用できるように、このカード挿入口１４に続くカード装着部１２の前方部分の両側に階段状に段差部２０が付けられていて、内部のカード装着部１２の前方部分が、偏平な下方に向って凸状になった段差の付けられた断面形状に形成されている。このような段差部２０は、小カードＡと大カードＢの案内路を形成するように上部段差部２１と下部段差部２２とから成り、２段階の階段状に形成されている。
【００１７】
従って、後述するように、小カードＡの場合には、幅の最も狭い下部段差部２２が用いられて、これら下部段差部２２間に小カードＡが挿入されて挟み込まれた状態に位置されるようになる。また、大カードＢの場合には、幅の最も大きな上部段差部２１間に大カードＢが挿入されて挟み込まれた状態に位置されるようになる。これによって、カード挿入口１４と、これに続くカード装着部１２は、下方部分が小カードＡ用として使用され、上方部分が大カードＢ用として使用されるように、左右の両側部分が段差の付けられた階段状に形成されている。
【００１８】
このように、大カードＢの場合に、幅の大きな上部段差部２１が用いられて、この上部段差部２１のところに大カードＢが挿入されて、大カードＢの段付き部が上部段差部２１に係合された状態に位置されるようになる。さらに、この上部段差部２１の外側には、ガイド壁２６が設けられていて、大カードＢの段付き部の側面が案内されるようになっている。また、このガイド壁２６は、上部の一部が斜めに切り欠かれていて斜面としての切込み部２６ａが設けられており、小カードＡの装着時に、ロックアーム２８が下方への弾性変位によって押圧されて、この下方位置において、ロックアーム２８が切込み部２６ａにほぼ沿った状態でロック係合されるのを、邪魔しないように形成されている。従って、ロックアーム２８のロック爪２９が、ロック部材３０の突部３１と係合してロックされる時に、ロックアーム２８が切込み部２６ａの傾斜部分に沿って位置することができるようになっている。
【００１９】
さらに、本発明のカード用複合コネクタ１において、コネクタ本体２は、カード装着部１２の他方の側が端壁１６によって閉鎖されていて、この端壁１６に沿って第１コンタクト部材５と第２コンタクト部材６とから構成される複数個のコンタクト４が整列して設けられている。これら第１コンタクト部材５と第２コンタクト部材６には、外部の他の情報端末機器や装置等の端子と接続するための端子部５Ｃ、６Ｃとが延出するように設けられている。さらにまた、小カードＡのための第１コンタクト部材５は、コネクタ本体２のほぼ中央に接触部５Ａが整列して配置されており、大カードＢのための第２コンタクト部材６は、コネクタ本体２の端壁１６に沿って配置されていて、これら第１コンタクト部材５と第２コンタクト部材６とが端壁１６に沿って、２つの第１コンタクト部材５と１つの第２コンタクト部材６とが大体、交互に配置されるように設けられている。
【００２０】
また、これらコンタクト４の内、第２コンタクト部材６は、コネクタ本体２上の後方に、端壁１６に沿って個々に独立した支持台部２７の上に位置するように設置されており、これによって、大カードＢの接点となる接触パッドが独立していることに加えて、コンタクト部材６の接触部６Ａが大カードＢの接触パッドと良好に接触できると共に、大カードＢの逆挿入を防止し易くなっている。
【００２１】
さらにまた、これらコンタクト４に加えて、図８に明示されるように、小カード用のカード認識コンタクト４７と、大カード用のカード認識コンタクト４８と、データの誤消去防止用のライトプロテクトコンタクト５４とが設けられている。また、ライトプロテクトコンタクト５４は、内部の前方側の部分に、大カードＢのライトプロテクトコンタクトキー７０や凹み部７１に係合する突部５４ａを有している。従って、大カードＢが挿入された時に、大カードＢのライトプロテクトコンタクトキー７０のセット位置に対応して、ライトプロテクトコンタクト５４の突部５４ａが押圧される時に、兼用コンタクトであるカード認識コンタクト４７と接触される。
【００２２】
図示されるように、小カード用のカード認識コンタクト４７の１つと、大カード用のカード認識コンタクト４８またはライトプロテクトコンタクト５４の１つが、兼用されるように形成されるのが好適である。本発明のこの図示の実施例においては、カード認識コンタクト４７が、この場合に兼用されている。  また、これらカード認識コンタクト４７、４８とライトプロテクトコンタクト５４と並置して片持ちばね状のばね片部材５０が設けられており、大カードＢの挿入時の抜け落ち防止用のブレーキ片部材として作用するようになっている。さらに、これらカード認識コンタクト４７、４８に加えて、大カードＢが挿入された時に、ばね片部材５０によって接触作動されるスイッチコンタクト４９が設けられている。さらにまた、これら各種コンタクトのために、基板に対して半田付けしてアースをとるようにタブ４５が設けられている。また、小カードＡが挿入された時に、カード認識のための可動片としての突部４６ａを有したばねコンタクト４６が設けられるのが、好適である。
【００２３】
さらにまた、本発明のカード用複合コネクタ１において、コネクタ本体２には、両側の側壁１７、１８にカバー部材３を取り付けるために、カバー部材３の両側の折曲部２４の窓孔部２５にラッチ係合されるラッチ用突起２３が設けられている。
【００２４】
このような本発明のカード用複合コネクタ１において、コネクタ本体２は、適宜な合成樹脂材料などの絶縁材料によって成形して作られ、金属薄板材料で作られたカバー部材３と組合せられて偏平なケースとして形成されるものである。
【００２５】
本発明のカード用複合コネクタ１においては、小カードＡまたは大カードＢは、カード用複合コネクタ１のカード挿入口１４から挿入されて内部のカード装着部１２に装着され、挿入された小カードＡまたは大カードＢの下面の先端部に配列された接触パッド等のパッド部と接続されるように、第１コンタクト部材５と第２コンタクト部材６とが所要の位置に、所要の高さをもって整列して配置されている。
【００２６】
このような第１コンタクト部材５と第２コンタクト部材６は、上方に半円形状に彎曲した接触片としての接触部５Ａ、６Ａが、一方の内側となる自由端部に形成されている。そして、これら接触部５Ａ、６Ａが、カード挿入口１４から挿入された小カードＡまたは大カードＢのパッド部と所要位置において弾性的に接触できるように形成されている。なお、第２コンタクト部材６は、ソケット本体２のベース部１５の後方に設けられた支持台部２７上に接触部６Ａが位置するように配置されており、さらにまた、図示されるように、外端部側の端子部６Ｃにおいてほぼ直角に折り曲げられていて、ソケット本体２の端壁１６に一体成形によって固着されて取り付けられている。このような第２コンタクト部材６は、第１コンタクト部材５と同様に外部機器と接続される端子部６Ｃが形成されている。また、第１コンタクト部材５は、中間部分の先端部に近い個所において、コネクタ本体２のベース部１５に一体的に成形して固着されている。
【００２７】
なお、本実施例において、本発明のカード用複合コネクタ１に用いられているカードＡ、Ｂは、例えば小カードＡとして「メモリスティックデュオ」（登録商標）が使用され、大カードＢとして「メモリスティック」（登録商標）が使用できるように適用されている。しかしながら、本発明は何等このようなカードだけの使用にのみ制限されるものではなく、これらメモリスティック等の外に、ＳＤカードやＩＣカード、ＳＩＭカード等の他の同様なメモリカードでも良好に適用できることは勿論である。
【００２８】
図示されるように、本発明のカード用複合コネクタ１において、カード装着部１２のほぼ中央部分には切換作動機構７の可動板１０が設けられており、さらに、そのカード挿入口１４側には操作板１１が設けられている。この操作板１１は、ほぼ中央に開口部１３が設けられており、さらに前方側の部分の両側には、ロック機構８のロックアーム２８が設けられていて、このロックアーム２８の先端に横方向に突出するロック爪２９が形成されている。このロックアーム２８のロック爪２９は、滑動可能なロック部材３０の突部３１とロック係合できるように形成されている。
【００２９】
また、ロック部材３０は、細長い板状部材から形成され、ほぼ中央に上方に突出する突部３１を有しており、一端のばね係止部３２にばね部材３３の一端が係止されていて、ばね部材３３によって弾性附勢されている。このようなロック部材３０は、板状部材の平らな面が直立した状態に位置されるように配置されている。なお、ロック機構８のロックアーム２８は、操作板１１の外に、カバー部材３に形成するようにして設けることもできる。
【００３０】
さらに、切換作動機構７の可動板１０は、細長い板状部材の両側が下方に折り曲げられて折曲部３５が設けられており、この折曲部３５から外方に突出する複数個の突起３６が設けられると共に、そのやや内側にカード押え３７が設けられている。また、この可動板１０の前端の縁部は、上方に僅かに彎曲されて彎曲部３８が設けられており、小カードＡや大カードＢの先端部分の保護を図ると共に、小カードＡや大カードＢを可動板１０の下側に導入され易いように案内する作用をする。
【００３１】
さらにまた、可動板１０は、両側に設けられた２つずつの突起３６が、操作板１１の両側の折曲部４０に形成された傾斜した方向に延びるガイド溝４１内にそれぞれ係合されている。なお、これら突起３６の前方側の突起３６は、ロック部材３０の縦方向の溝３４内にも係合しており、可動板１０が上方に向って移動する時に、前方側の突起３６が、この縦方向の溝３４内を上方に向って移動することができるようになっている。
【００３２】
また、操作板１１のガイド溝４１は、図示されるようにほぼ「く」の字形をなしていて、上方に斜めに延びる傾斜部４２と水平方向に延びる水平部４３とを有している。従って、大カードＢが挿入される時には、大カードＢの先端部が、先ず、可動板１０の先端の彎曲部３８に当接して可動板１０を奥の方に押し入れる。これによって、可動板１０は、左右両側の突起３６が、ガイド溝４１の水平部４３に沿って水平方向に動かされ、次いで、ガイド溝４１の傾斜部４２に沿って斜めに上方に向って押し上げられるように動かされる。これによって、可動板１０が上方に押されて移動されて、やがて、大カードＢが可動板１０の下に潜り込むように押し入れられるようになる。この時に、大カードＢによって操作板１１のロックアーム２８が上方に押し上げられるので、ロックアーム２８のロック爪２９が、ロック機構８のロック部材３０の突部３１から外れてロック機構８が解除されるようになり、ロック部材３０がばね部材３３の引張力によって引張られて滑動するようになる。
【００３３】
また、カード押え３７は、装着された小カードＡまたは大カードＢを適宜に押圧して小カードＡや大カードＢが抜け出ないように抜け止めとして好適に作用するものである。
【００３４】
同様に、操作板１１の後方の端部にもカード押え４４が設けられており、挿入された大カードＢを適宜に押圧して、装着された大カードＢの抜け出るのを防止するように抜け止めとして作用することができる。
【００３５】
図示されるように、このような本発明のカード用複合コネクタ１において、カード挿入口１４の内側の操作板１１の両側には、ロック機構８のロックアーム２８が片持ちばね状に設けられており、これらロックアーム２８の先端に設けられたロック爪２９に係合するロック用突部３１を有するロック部材３０が水平方向に滑動可能に設けられている。
【００３６】
従って、大カードＢが挿入される時に、大カードＢの先端部が、先ず、ロックアーム２８の先端部を上方に押し上げてロック爪２９をロック部材３０の突部３１から外してロックを解除するので、これによってロック部材３０は、水平方向に滑動することができるようになる。この時に、大カードＢの先端部が、さらに、可動板１０の先端の彎曲部３８を押すようになるので、可動板１０は、両側の突起３６がガイド溝４１の水平部４３と傾斜部４２とに沿って移動するようにでき、これによって、可動板１０は、大カードＢによって上方に押し動かされるようになる。
【００３７】
これによって、大カードＢは、可動板１０の下側に良好に導入されて、さらに奥の方に挿入することができるようになるので、大カードＢの先端部によってイジェクト機構９のイジェクト部材５１を押圧して、イジェクト部材５１の押圧部６６の先端面が端壁１６の切欠き部６７に入って当接するまで挿入できる。最終位置にまで、大カードＢを挿入したならば、そこで、手を放せば、イジェクト部材５１がばね部材５２によって僅かに押し戻されて、カムレバー５９の先端の端部６０がハート形カム５５の周りのカム溝５６の凹み部５７に位置されて安定して固持されるようになるので、この位置において、大カードＢが安定して保持されるようになる。
【００３８】
このような本発明のカード用複合コネクタ１において、コネクタ本体２の側壁１７に沿ってイジェクト機構９が設けられている。図示されるように、イジェクト機構９は、大カードＢを挿入して第２コンタクト部材６と接触させると共に、大カードＢの排出を行うことができるように設けられている。
【００３９】
大カードＢを排出するためのこのようなイジェクト機構９は、コネクタ本体２の一方の側壁１７に沿って滑動可能に設けられたスライダとしてのイジェクト部材５１と、このイジェクト部材５１によって押圧されて弾性変形されるコイルスプリングのようなばね部材５２と、イジェクト部材５１の上面に形成されたハート形カム５５と、このハート形カム５５の周りに形成されたカム溝５６に一方の端部６０がカム係合されるカムレバー５９とを有している。また、ハート形カム５５やカム溝５６は、イジェクト部材５１の上面だけでなく、側面に設けることもできる。
【００４０】
さらに、イジェクト部材５１の内側の一端には、大カードＢの角部が係合するカード受け部５３が設けられると共に、側壁１７側のイジェクト部材５１の側部には、ばね部材５２の一方の端部を受けて収納するための窪み孔形状のばね収納部５８が設けられている。このイジェクト部材５１のカード受け部５３は、大カードＢの裏返し挿入を防止するために、角部が面取り等によって切り落された大カードＢを受けて良好に係合できるように形成されている。従って、大カードＢを裏返しに挿入した時には、大カードＢの切り欠かれていない角部がカード受け部５３に当接するために両部材が合致せず、イジェクト部材５１を作動することができなく、これによって大カードＢの裏差しを防止することができる。
【００４１】
さらにまた、カムレバー５９の他方の端部６１は、コネクタ本体２の側壁１７の突出部分に回動可能に取り付けられて支持されている。従って、大カードＢが挿入されて押し込まれてイジェクト部材５１が滑動される時に、カムレバー５９の一方の端部６０にカム溝５６が沿ってイジェクト部材５１が相対的に移動されるようになる。このために、大カードＢが挿入されてカード装着部１２の奥の方にまで押し込まれて、イジェクト部材５１が端壁１６に当接した時に、手を離せば、大カードＢは、僅かに押し戻されて、カムレバー５９のこの端部６０が、ハート形カム５５の頭部の凹み部５６に位置されて固持されるようになっている。
【００４２】
従って、この凹み部５６の位置において、イジェクト部材５１がばね部材５２により押されているために、この凹み部５７にカムレバー５９の端部６０が当接する位置に、ほぼ固定して保持されるようになる。これによって、挿入された大カードＢは、挿入位置に固持されて、大カードＢのパッド部が第２コンタクト部材６の接触部６Ａに良好に接触された状態が保持されるようになる。
【００４３】
また、カバー部材３には、カムレバー押え６３が片持ち梁状の板ばねとして形成されており、これによってカムレバー５９が弾性的に押されていて、カムレバー５９の端部６０がカム溝５６から外れて飛出さないように良好に保持されている。さらにまた、同様に、カバー部材３には、可動板１０を押圧して保持するための片持ちばね形の可動板押え６４が設けられている。
【００４４】
このように本発明のカード用複合コネクタ１に装着された大カードＢを、所要の目的を果たした後に、排出させて取り出すためには、カード用複合コネクタ１に装着されている大カードＢを一度僅かに押して大カードＢのラッチ係合を解除しておいてから、大カードＢを取り出すようになる。すなわち、カード用複合コネクタ１内に装着されている大カードＢを一度僅かに押すと、ハート形カム５５の凹み部５７に位置していたカムレバー５９の端部６０が、ハート形カム５５の凹み部５７から離れて端部６０が横方向に動いて凹み部５７から外れるようになる。
【００４５】
これによって、カムレバー５９の端部６０が自由になってカム溝５６に沿うようになるので、この状態でイジェクト部材５１がばね部材５２によって押されて滑動されるようになる。従って、イジェクト部材５１は、カード用複合コネクタ１の中程の位置にまで、ばね部材５２によって押されて移動されるので、これによって、大カードＢが半分ほど排出されるようになる。
【００４６】
続いて、このように半分ほど排出された大カードＢの露出している方の端部を指で持って大カードＢを引き出せば、大カードＢは、カード用複合コネクタ１からスムーズに、完全に排出されるようになる。こうして、大カードＢがカード用複合コネクタ１から完全に排出されると、操作板１１は初期位置へと下方に押されて戻り、可動板１０は、ガイド溝４１に沿って下方の位置に動かされ、ロック機構８のロック部材３０がロック位置に滑動されて元の状態に戻って、ロックアーム２８のロック爪２９がロック部材３０の突部３１に係合されて、ロック部材３０をラッチして固定するようになる。従って、可動板１０も下方位置に固定されて保持されるようになり、初期位置の状態に戻るようになる。
【００４７】
このように構成された本発明のカード用複合コネクタ１において、大小の大きさの異なる小カードＡと大カードＢとを実際に使用する場合に就いて次に説明する。
【００４８】
図１１乃至図１９は、本発明のカード用複合コネクタに、小カードを使用する場合を示す図で、図１１は、本発明のカード用複合コネクタに小カードを挿入した時の、カバー部材を取り外して示す全体の平面図、図１２はその側面図で、図１３はカード挿入口側からの端面図、図１４は、図１１の本発明のカード用複合コネクタに小カードを挿入した時の、カバー部材を取外して示す図１１と同様な平面図で、図１５は、図１４の本発明のカード用複合コネクタのロック機構部分を示す拡大部分斜視図、図１６は、図１４の本発明のカード用複合コネクタのカバー部材を取外して示す側面図、図１７は、図１４のＸＶＩＩ
−ＸＶＩＩ線に沿った断面図で、図１８は、図１６のロック機構部分の拡大部分図、図１９は、図１７のロック機構部分の拡大部分断面図である。
【００４９】
先ず、小カードＡを使用する場合には、図１１乃至図１９に示されるように、本発明のカード用複合コネクタ１のカード挿入口１４から小カードＡが挿入される。
【００５０】
このような小カードＡは、図示のように厚さが薄く、長さが短く、幅も小さい等の外形寸法が小さなカードである。この小カードＡの場合に、幅は、本発明のカード用複合コネクタ１のカード挿入口１４における下部段差部２２間の正常の幅にほぼ等しいか僅かに小さい幅をなしている。従って、小カードＡが、図示されるようにカード用複合コネクタ１のカード挿入口１４からカード用複合コネクタ１内に挿入される時に、小カードＡが挿入でき、可動板１０の下の位置にスムーズに小カードＡが何等、可動板１０に当たることなく良好に挿入されるので、小カードＡは、カード挿入口１４の下部段差部２２の間に、しかも可動板１０の下に可動板１０によって保持されるようになる。従って、可動板１０は、操作板１１によって下方位置に固持されており、ロック部材３０は、ロックアーム２８によってロック位置にロックされて固持されていて、ロック爪２９がロック部材３１の突部３１と係合されている図示のロック状態になる。
【００５１】
また、小カードＡは、この状態において、可動板１０の下に挿入されていて、小カードＡの先端部のパッド部が第１コンタクト部材５の接触部５Ａと接触されて接続されている。このような状態において、薄い小カードＡは、カード用複合コネクタ１内に可動板１０によって保持されて良好に装着されており、自由に抜き出すことができる。また、このように、本発明のカード用複合コネクタ１内にしっかりと挿入された小カードＡは、ばねコンタクト４６の突部４６ａが係合することによって、カード認識が行なわれるようになる。このようにして小カードＡを挿入して装着して、所期の目的となる使用が可能となる。
【００５２】
続いて、小カードＡを取り出すには、そのまま小カードＡの端をもって引き抜けば良く、これによって小カードＡをカード用複合コネクタ１から好適に抜き出すことができるようになる。
【００５３】
次に、本発明のカード用複合コネクタ１に大カードＢを使用する場合に就いて説明する。  
図２０乃至図４０は、本発明のカード用複合コネクタに、大カードを使用する場合を示す図で、図２０は、本発明のカード用複合コネクタに大カードを挿入した時の、カバー部材を取り外して示す全体の平面図、図２１はその側面図で、図２２はカード挿入口側からの端面図、図２３は、図２０の本発明のカード用複合コネクタを、大カードを挿入し始めた状態を、カバー部材を取り外して示す平面図で、図２４は、図２３の本発明のカード用複合コネクタのロック機構部分を示す拡大部分斜視図、図２５は、図２３の本発明のカード用複合コネクタのカバー部材を取外して示す側面図、図２６は、図２３のＸＸＶＩ−ＸＸＶＩ線に沿った断面図で、図２７は、図２５のロック機構部分の拡大部分図、図２８はその断面拡大部分図で、図２９は、図２３の状態から、さらに大カードを挿入した時の同様な平面図、図３０は、図２９の本発明のカード用複合コネクタのロック機構部分を示す拡大部分斜視図で、図３１は、図２９の本発明のカード用複合コネクタの側面図、図３２は、図２９のＸＸＸＩＩ−ＸＸＸＩＩ線に沿った断面図で、図３３は、図３１のロック機構部分の拡大部分図、図３４は、図３２のロック機構部分の断面拡大部分図で、図３５は、図２９の状態から、大カードを完全に挿入した時の同様な平面図、図３６は、図３５の本発明のカード用複合コネクタのロック機構部分の拡大部分斜視図で、図３７は、図３５の本発明のカード用複合コネクタの拡大側面図、図３８は、図３５のＸＸＸＶＩＩＩ−ＸＸＸＶＩＩＩ線に沿った拡大断面図で、図３９は、大カードを完全に挿入した時の本発明のカード用複合コネクタを、カバー部材と可動板と操作板とを取り外して示す斜視図、図４０は、図３９の本発明のカード用複合コネクタのライトプロテクトコンタクトと大カードの凹み部とを示す拡大部分斜視図である。
【００５４】
本発明のカード用複合コネクタ１において、大カードＢを使用する場合には、図２１乃至図４０に示されるように、本発明のカード用複合コネクタ１のカード挿入口１４から大カードＢが挿入される。
【００５５】
この大カードＢは、図示のように厚さが厚く、長さも長く、かつ幅も大きい等の外形寸法が大きく、しかも段付き形状のカードである。この大カードＢの場合には、幅は、本発明のカード用複合コネクタ１のカード装着部１２の上部段差部２１間の幅に適合する大きさである。従って、大カードＢをカード挿入口１４からカード用複合コネクタ１内に挿入すれば、先ず、大カードＢの先端部が操作板１１のロックアーム２８の下面に当たってロックアーム２８を上方に押し上げるようになる。このために、ロックアーム２８の先端のロック爪２９が、ロック部材３０の突部３１から外れてロック機構８のロックが解除されるので、ロック部材３０がフリーとなってばね部材３３のばね力によって滑動されるようになる。このようにして、ロックアーム２８のロック爪２９がロック部材３０の突部３１から離れて、ロック機構８のロック係合が外れるようになる。
【００５６】
続いて、大カードＢの先端部が可動板１０を上方に押し上げて可動板１０の下に入りながらカード用複合コネクタ１内のカード装着部１２に挿入される。やがて、大カードＢの先端部の一方の面取りされて切り落とされた角部が、イジェクト部材５１のカード受け部５３に係合して合致し、続いての大カードＢの挿入によって、イジェクト部材５１が押されて奥の方にまで滑動される。この時に、カムレバー５９の端部６０がイジェクト部材５１のカム溝５６に沿って倣うようにイジェクト部材５１が滑動される。
【００５７】
やがて、カムレバー５９の端部６０がカム溝５６の凹み部５７のところに位置するようになって、この凹み部５７においてカムレバー５９の端部６０が当接して保持され、イジェクト部材５１が固定される。この状態が、図３５乃至図４０に示される状態であり、このような状態において、大カードＢが完全に挿入されて、大カードＢの下面のパッド部が第２コンタクト部材６の接触部６Ａと接触されてしっかりと接続されるようになる（図３８）。
【００５８】
また、この時に、ライトプロテクトコンタクト５４は、大カードＢのライトプロテクトコンタクトキー７０のセット位置に対応してライトプロテクトコンタクトキー７０によってライトプロテクトコンタクト５４の突部５４ａが押圧される場合に、兼用コンタクトであるカード認識コンタクト４７にライトプロテクトコンタクト５４が接触されるようになる。
【００５９】
従って、もしも、ライトプロテクトコンタクトキー７０が図３９、図４０に示されるような位置にセットされている時には、ライトプロテクトコンタクト５４の突部５４ａが、カード用複合コネクタ１に完全に挿入された大カードＢの凹み部７１内に位置されるので、ライトプロテクトコンタクト５４はカード認識コンタクト４７と接触されることが無い。
【００６０】
これに対して、ライトプロテクトコンタクトキー７０が、図示にて大カードＢの凹み部７１の左方の位置にセットされている時には、ライトプロテクトコンタクトキー７０がライトプロテクトコンタクト５４の突部５４ａに当たって突部５４ａを押圧するために、ライトプロテクトコンタクト５４が、兼用コンタクトであるカード認識コンタクト４７と接触されるようになる。このようにして、大カードＢが挿入されて装着され、所期の目的である大カードＢの使用が可能となる。
【００６１】
次いで、大カードＢを取り出すには、上述したように一度、大カードＢを僅かに押して、イジェクト機構９による大カードＢのラッチ係合を解除しておいてから、大カードＢを取り出すようになる。すなわち、カード用複合コネクタ１内に装着されている大カードＢを一度僅かに押すと、ハート形カム５５の凹み部５７に位置していたカムレバー５９の端部６０が、ハート形カム５５の凹み部５７から僅かに横方向に動いて凹み部５７から外れる。これによって、カムレバー５９の端部６０が自由になって、カム溝５６に沿って移動できるようになるので、この状態で、イジェクト部材５１がばね部材５２によって押されて滑動されるようになる。
【００６２】
従って、イジェクト部材５１は、カード用複合コネクタ１の中程の位置にまで押されて移動されるので、これによって、大カードＢがカード用複合コネクタ１から半分ほど排出されるようになる。続いて、半分ほど排出された大カードＢの端部を持って引き出せば、大カードＢは、カード用複合コネクタ１から完全に排出されるようになる。こうして、大カードＢがカード用複合コネクタ１から完全に排出されると、ロック部材３０は、ばね部材５２によってイジェクト部材５１を介して押されてコネクタ本体２上を滑動してばね部材３３を緊張するようになる。
【００６３】
同時に、可動板１０は、可動板押え６４によって下方に押されてガイド溝４１に沿って斜め前方、下方に動かされると共に、ロック部材３０が前方に滑動されることによって、ロックアーム２８のロック爪２９がロック部材３０の突部３１に係合されてロック機構８が作動されてロックされる。従って、可動板１０は、下方の下がった元の位置においてロックされて、元の初期状態の位置に戻されるようになる。
【００６４】
このように、本発明のカード用複合コネクタ１においては、１つのカード用複合コネクタ１によって大きさの異なる２種類の小カードＡと大カードＢとを、カード自体に何等、特別な細工を施さずに、かつ何の支障も無く、共通して使用することができる。また、本発明によれば、カード用複合コネクタ１自体を偏平で薄形のハウジング形状のケースとして製作することができ、携帯電話機やゲーム機、ノートパソコン、携帯型オーディオ、テレビ、ビデオ、デジタルカメラ、カラオケ用マイク等のような情報端末機器や各種の電子機器等に好適に使用することが可能である。
【００６５】
さらに、本発明のカード用複合コネクタ１においては、可動部分が、切換作動機構７の可動板１０と操作板１１と、ロック機構８のロック部材３０と、イジェクト機構９のイジェクト部材５１だけで、少ない部材数で済み、しかもシンプルな構造に形成できて、小型化が可能であり、各部材の取換えが容易である等の効果が得られる。
【００６６】
このように、本発明のカード用複合コネクタ１においては、１つのカード用複合コネクタ１によって大きさの異なる大小の２種類の小カードＡと大カードＢとを、カード自体に何等の特別なことを施さずに、かつ何の支障も無く共通して使用することができる。また、本発明によれば、カード用複合コネクタ１自体を偏平で薄形のハウジング形状のコネクタ本体２とカバー部材２とによって製作することができて、低背化して薄形に製作することが可能であり、携帯電話機やゲーム機、ノートパソコン、携帯型オーディオ、テレビ、ビデオ、デジタルカメラ、カラオケ用マイク等のような情報端末機器や各種の電子機器等に好適に使用することが可能である。
【実施例２】
【００６７】
図４１乃至図５４は、本発明のカード用複合コネクタの実施例２を示す図で、図４１は、本発明の実施例２におけるカード用複合コネクタをカード挿入口側から見た全体の斜視図、図４２は、図４１のカード用複合コネクタを、カバー部材を取外して示す斜視図で、図４３は、図４１のカード用複合コネクタを、さらにカバー部材と可動板と操作板とを取外して示す斜視図、図４４は、図４３の対向する側方から見た同様な斜視図で、図４５は、図４１の本発明の実施例２のカード用複合コネクタを、カバー部材と可動板と操作板とを取外して示すカード挿入口側から見た端面図、図４６は、図４３の本発明のカード用複合コネクタを、カード挿入口のカードガイド部分を拡大して示す拡大部分図を有する斜視図で、図４７は、図４６の本発明のカード用複合コネクタを、カード挿入口のカードガイド部分を拡大して示す拡大部分図を有する平面図、図４８は、図４１の本発明の実施例２のカード用複合コネクタに小カードを挿入する時の、カバー部材と操作板とを取外して示す斜視図である。
【００６８】
また、図４９乃至図５４は、図４１の本発明のカード用複合コネクタに小カードを挿入する場合の、正規位置と、カードガイドの中段に小カードを誤挿入した場合の位置と、カードガイドの上段に小カードを誤挿入した場合の位置とにおける、カバー部材と可動板と操作板とを取外してそれぞれ示す斜視図および平面図で、図４９および図５０は、正規位置での斜視図および平面図、図５１および図５２は、カードガイドの中段位置での斜視図および平面図で、図５３および図５４は、カードガイドの上段位置での斜視図および平面図である。
【００６９】
図４１乃至図４６に示されるように、本発明の実施例２におけるカード用複合コネクタ１００は、先の実施例１におけると同様に、第１カードとしての小カードＡと、第２カードとしての大カードＢとを共通して使用することができるものであり、上記実施例１とは、ロック機構が無く、片持ち梁状の樹脂ばねのような弾性部材１２８、１２９を有するカード保持機構１０８が設けられている点で相違しており、他の点では実質的にほぼ同じである。従って、この実施例２においては、上記実施例１と同一の部材に就いての詳細な説明を省略または簡略化するものとする。
【００７０】
図示されるように、本発明の実施例２におけるカード用複合コネクタ１００は、コネクタ本体１０２と、カバー部材１０３と、第１コンタクト部材１０５および第２コンタクト部材１０６から構成される複数個のコンタクト１０４と、切換作動機構１０７と、カード保持機構１０８と、イジェクト機構１０９とを有している。
【００７１】
このような本発明のカード用複合コネクタ１００は、コネクタ本体１０２とカバー部材１０３とを組み合わせて偏平なハウジング形状のケースとして形成され、カードが挿入、装着されるカード装着部１１２が内部に設けられている。
【００７２】
また、このような本発明のカード用複合コネクタ１００も同様に、例えば情報端末機器等に装着して用いられるように構成されている。
【００７３】
本発明のカード用複合コネクタ１００において、カード装着部１１２の一方の開放側には、カード挿入口１１４が形成されており、このカード挿入口１１４に続くカード装着部１１２の前方部分の両側に、階段状に段差部１２０が付けられていて、内部のカード装着部１１２の前方部分が、偏平な下方に向って凸状になった段差の付けられた断面形状に形成されている。この段差部１２０は、小カードＡと大カードＢのガイドとしての案内路を形成するように上部段差部１２１と下部段差部１２２とから成り、２段階の階段状に形成されている。
【００７４】
従って、小カードＡの場合には、幅の最も狭い下部段差部１２２が用いられて、これら下部段差部１２２間に小カードＡが挿入されて挟み込まれた状態に位置されるようになる。また、大カードＢの場合には、幅の最も大きな上部段差部１２１間に大カードＢが挿入されて挟み込まれた状態に位置されるようになる。これによって、カード挿入口１１４と、これに続くカード装着部１１２は、下方部分が小カードＡ用として使用され、上方部分が大カードＢ用として使用されるように、両側部分が段差の付けられた階段状に形成されている。
【００７５】
また、段差部１２０は、段付きカードのような大カードＢの場合に、幅の大きな上部段差部１２１が用いられて、この上部段差部１２１のところに大カードＢが挿入されて、大カードＢの段付き部が上部段差部１２１に係合された状態に位置されるようになる。
【００７６】
本発明のカード用複合コネクタ１００において、コネクタ本体１０２は、カード装着部１１２の他方の側が端壁１１６によって閉鎖されていて、この端壁１１６に沿って第１コンタクト部材１０５と第２コンタクト部材１０６とから構成される複数個のコンタクト１０４が整列して設けられている。これら第１コンタクト部材１０５と第２コンタクト部材１０６には、外部の他の情報端末機器や装置等の端子と接続するための端子部１０５Ｃ、１０６Ｃとが延出するように設けられている。さらにまた、小カードＡのための第１コンタクト部材１０５は、コネクタ本体１０２のほぼ中央に接触部１０５Ａが整列して配置されており、大カードＢのための第２コンタクト部材１０６は、コネクタ本体２の端壁１１６に沿って並列して配置されている。これら第１コンタクト部材１０５と第２コンタクト部材１０６とは、端壁１１６に沿って、２つの第１コンタクト部材１０５と１つの第２コンタクト部材１０６とが大体、交互に、あるいはまた２つの第１コンタクト部材１０５に対して１つの第２コンタクト部材１０６が配置されるように設けられている。
【００７７】
また、これらコンタクト１０４の内、第２コンタクト部材１０６は、コネクタ本体１０２上の後方に、端壁１１６に沿って個々に独立した支持台部１２７の上に位置するように設置されており、これによって、大カードＢの接点となる接触パッドが独立していることに加えて、第２コンタクト部材１０６の接触部１０６Ａが大カードＢの接触パッドと良好に接触できると共に、大カードＢの逆挿入を防止し易くなっている。
【００７８】
さらにまた、これらコンタクト１０４に加えて、図示されるように、小カード用のカード認識コンタクト１４７と、大カード用のカード認識コンタクト１４８と、データの誤消去防止用のライトプロテクトコンタクト１５４とが、先の実施例１におけると同様に、設けられている。勿論、これら各種コンタクトは上記実施例１における各種コンタクトと同様に作用するものである。また、ライトプロテクトコンタクト１５４は、内部の前方側の部分に、大カードＢのライトプロテクトコンタクトキーや凹み部に係合する突部１５４ａを有している。従って、大カードＢが挿入された時に、大カードＢのライトプロテクトコンタクトキーのセット位置に対応して、ライトプロテクトコンタクト１５４の突部１５４ａが押圧される時に、兼用コンタクトであるカード認識コンタクト１４７と接触される。
【００７９】
図示されるように、小カード用のカード認識コンタクト１４７の１つと、大カード用のカード認識コンタクト１４８またはライトプロテクトコンタクト１５４の１つが、兼用されるように形成されている。本発明のこの図示の実施例２においても、カード認識コンタクト１４７が、この場合に兼用されている。
【００８０】
また、これらカード認識コンタクト１４７、１４８とライトプロテクトコンタクト１５４と並置して片持ちばね状のばね片部材１５０が設けられており、大カードＢの挿入時の抜け落ち防止用のブレーキ片部材として作用するようになっている。さらに、これらカード認識コンタクト１４７、１４８に加えて、大カードＢが挿入された時に、ばね片部材１５０によって接触作動されるスイッチコンタクト１４９が設けられている。さらにまた、これら各種コンタクトのために、基板に対して半田付けしてアースをとるようにタブ１４５が設けられている。また、小カードＡが挿入された時に、カード認識のための可動片としての突部１４６ａを有したばねコンタクト１４６が設けられるのが、好適である。
【００８１】
さらにまた、本発明のカード用複合コネクタ１００において、コネクタ本体２には、両側の側壁１１７、１１８にカバー部材１０３を取り付けるために、カバー部材１０３の両側の折曲部１２４の窓孔部１２５にラッチ係合されるラッチ用突起１２３が設けられている。
【００８２】
このような本発明のカード用複合コネクタ１００において、コネクタ本体１０２は、適宜な合成樹脂材料などの絶縁材料によって成形して作られ、金属薄板材料で作られたカバー部材１０３と組合せられて偏平なケースとして形成されるものである。
【００８３】
本発明のカード用複合コネクタ１００においては、小カードＡまたは大カードＢは、カード用複合コネクタ１のカード挿入口１１４から挿入されて内部のカード装着部１１２に装着され、挿入された小カードＡまたは大カードＢの下面の先端部に配列された接触パッド等のパッド部と接続されるように、第１コンタクト部材１０５と第２コンタクト部材１０６とが所要の位置に、所要の高さをもって整列して配置されている。
【００８４】
このような第１コンタクト部材１０５と第２コンタクト部材１０６は、上方に半円形状に彎曲した接触片としての接触部１０５Ａ、１０６Ａが、一方の内側となる自由端部に形成されている。そして、これら接触部１０５Ａ、１０６Ａが、カード挿入口１１４から挿入された小カードＡまたは大カードＢのパッド部と所要位置において弾性的に接触できるように形成されている。なお、第２コンタクト部材１０６は、ソケット本体１０２のベース部１１５の後方に設けられた支持台部１２７上に接触部１０６Ａがそれぞれ位置するように配置されており、さらにまた、図示されるように、外端部側の端子部１０６Ｃにおいてほぼ直角に折り曲げられていて、ソケット本体１０２の端壁１１６に一体成形または圧入によって固着されて取り付けられている。このような第２コンタクト部材１０６は、第１コンタクト部材１０５と同様に外部機器と接続される端子部１０６Ｃが形成されている。また、第１コンタクト部材１０５は、中間部１０５Ｂの後方部分に近い個所において、コネクタ本体１０２のベース部１１５に一体的に成形または圧入して固着されている。このような第１コンタクト部材１０５と第２コンタクト部材１０６は、それぞれ中間部１０５Ｂ、１０６Ｂにおいてソケット本体１０２のベース部１１５に固着されている。
【００８５】
なお、本実施例において、本発明のカード用複合コネクタ１００に用いられている小カードＡ、大カードＢは、例えばミニＳＤカードが第１カードとして用いられ、ＳＤカードが第２カードとして用いられているが、上記実施例１におけると同様に、例えば小カードＡとして「メモリスティックデュオ」（登録商標）が使用され、大カードＢとして「メモリスティック」（登録商標）が使用できるように適用できるものである。しかしながら、本発明は何等このようなカードだけの使用にのみ制限されるものではなく、これらメモリスティックや、ミニＳＤカード、ＳＤカード等の外に、ＩＣカード、ＳＩＭカード等の他の同様な各種のメモリカードでも良好に適用できることは勿論である。
【００８６】
図示されるように、本発明のカード用複合コネクタ１００において、カード装着部１１２のほぼ中央部分には切換作動機構１０７の可動板１１０が設けられており、さらに、そのカード挿入口１１４側には操作板１１１が設けられている。この操作板１１１は、ほぼ中央に開口部１１３が設けられており、さらに前方側の部分の両側には、第２カードである大カードＢを装着時に保持するためのカード押え１２８が設けられている。
【００８７】
また、コネクタ本体１０２のカード挿入口１１４には、カード保持機構１０８が設けられており、このカード保持機構１０８の弾性部材１２８、１２９が形成されている。これらの弾性部材１２８、１２９は、挿入された小カードＡの両側の側辺部分を内方に向って押圧して小カードＡを弾性保持することができるように構成されるものである。
【００８８】
図示されるように、弾性部材１２８、１２９は、細長い片持ち梁状に形成され、カード挿入口１１４よりも奥の方の後端部においてコネクタ本体１０２のベース部１１５に固着され、他方の端部である前端部が自由端部として内側および下側に向かって弾性変位できるように形成されている。また、これら弾性部材１２８、１２９は、ベース部１１５からの高さがそれぞれ異なっており、右側の弾性部材１２８が、左側の弾性部材１２９よりも低くなっている。これは、カードの形状に対応して良好に係合できるように形成されたものであり、小カードＡを所要位置に良好に導くことができる。また、これら弾性部材１２８、１２９は、同じ高さに作ることができるものである。なお、カード保持機構１０８の弾性部材１２８、１２９は、実施例２においては、コネクタ本体１０２と一体的に合成樹脂材料で造られているが、金属材料で造って、コネクタ本体１０２とモールド成形して一体的に造ったり、あるいは圧入して取り付けることもできる。さらにまた、これら弾性部材１２８、１２９は、内側の側面部分が、段差部１２０の下部段差部１２２の側面部分よりも内側に突き出ていて、挿入された小カードＡの側縁部分を押圧するように係合される。
【００８９】
また、切換作動機構１０５の可動板１１０は、細長い板状部材の両側が下方に折り曲げられて折曲部が設けられており、さらに、この折曲部から外方に突出する複数個の突起や、カード押えが設けられることは上記実施例１と同様である。また、この可動板１１０の前端の縁部は、上方に僅かに彎曲されて彎曲部が設けられており、小カードＡや大カードＢの先端部分の保護を図ると共に、小カードＡや大カードＢを可動板１１０の下側に導入され易いように案内する作用を同様に行なうものである。
【００９０】
さらに、可動板１１０は、両側に設けられた２つずつの突起が、操作板１１１の両側の折曲部１４０に形成された傾斜した方向に延びるガイド溝１４１内にそれぞれ係合されている。従って、大カードＢが挿入される時には、大カードＢの先端部が、先ず、可動板１１０の先端の彎曲部に当接して可動板１１０を奥の方に押し入れる。これによって、可動板１１０は、左右両側の突起が、ガイド溝１４１の水平部１４３に沿って水平方向に動かされ、次いで、ガイド溝１４１の傾斜部１４２に沿って斜めに上方に向って押し上げられるように動かされる。これによって、可動板１１０が上方に押されて移動されて、やがて、大カードＢが可動板１１０の下に潜り込むように押し入れられるようになる。こうして、操作板１１１は、大カードＢによって上方に押し上げられる。
【００９１】
また、操作板１１１には、カード押え１４４Ａ、１４４Ｂが設けられており、挿入された大カードＢを適宜に押圧して、装着された大カードＢの抜け出るのを防止するように抜け止めとして作用することができる。
【００９２】
図示されるように、このような本発明のカード用複合コネクタ１００において、カード挿入口１１４の内側の操作板１１１の両側には、カード保持機構１０８の弾性部材１２８、１２９が片持ちばね状に設けられており、これら弾性部材１２８、１２９の内側の側面部分が、挿入された小カードＡの両側の縁辺部分を、両側から挟み込むように当接して、小カードＡを良好に弾性保持するように設けられている。
【００９３】
さらに、コネクタ本体１０２の一方の側壁１１７において、上部段差部１２１に連続するようにしてガイド用スロープ１３０が設けられると共に、このガイド用スロープ１３０の終端部分に、内方に傾斜した垂直な傾斜面１３１が設けられており、さらに、その内側に連続して下部段差部１２２にも、同様に垂直な傾斜面１３２が設けられている。これらガイド用スロープ１３０と傾斜面１３１、１３２は、小カードＡが上部段差部１２１に対して片寄って挿入された時に、小カードＡを好適に下方に案内して適切に小カードＡを所要位置に導くように作用する。
【００９４】
従って、小カードＡが挿入される時に、小カードＡの先端部が、先ず、弾性部材１２８の先端部分を左右外方に押し広げて、小カードＡが下部段差部１２２の間の所要位置に配置されて小カードＡを左右からしっかりと弾性保持することができるようになる。
【００９５】
これによって、小カードＡは、可動板１１０の下側に良好に導入されて、さらに奥の方に挿入することができるようになるので、小カードＡの先端部によってイジェクト部材１５１の第１カ−ド受け部１５３Ａに係合して、イジェクト部材１５１を押圧し、イジェクト部材１５１の第１カード受け部１５３の先端面がコネクタ本体１０２の第１切欠き部１６７Ａに入って当接するまで挿入できる。最終位置にまで、小カードＡを挿入したならば、そこで、手を放せば、イジェクト部材１５１がばね部材１５２によって僅かに押し戻されて、カムレバー１５９の先端の端部１６０がハート形カム１５５の周りのカム溝１５６の凹み部１５７に位置されて安定して固持されるようになるので、この位置において、小カードＡが安定して保持されるようになり、小カードＡのパッド部が第１コンタクト部材１０５の弾性的な接触部１０５Ａと好適に接触されるようになる。
【００９６】
このような本発明のカード用複合コネクタ１００において、コネクタ本体１０２の側壁１１７に沿ってイジェクト機構１０９が設けられている。図示されるように、イジェクト機構１０９は、小カードＡ、大カードＢを挿入して第１コンタクト部材０５、第２コンタクト部材１０６と接触させると共に、これら小カードＡと大カードＢの排出を行うことができるように設けられている。
【００９７】
小カードＡと大カードＢを排出するためのこのようなイジェクト機構１０９は、コネクタ本体１０２の一方の側壁１１７に沿って滑動可能に設けられたスライダとしてのイジェクト部材１５１と、このイジェクト部材１５１によって押圧されて弾性変形されるコイルスプリングのようなばね部材１５２と、イジェクト部材１５１の上面に形成されたハート形カム１５５と、このハート形カム１５５の周りに形成されたカム溝１５６に一方の端部１６０がカム係合されるカムレバー１５９とを有している。また、ハート形カム１５５やカム溝１５６は、イジェクト部材１５１の上面だけでなく、側面に設けることもできる。
【００９８】
さらに、イジェクト部材１５１の内側には、小カードＡと大カードＢの角部が係合する第１カード受け部１５３Ａと第２カード受け部１５３Ｂが設けられると共に、側壁１１７側のイジェクト部材１５１の側部には、ばね部材１５２の一方の端部を受けて収納するための窪み孔形状のばね収納部１５８が設けられている。このように、イジェクト部材１５１には、小カードＡと大カードＢとの両カードに対して良好に両カードを受けることができるように、第１、第２カード受け部１５３Ａ、１５３Ｂが設けられている。
【００９９】
さらに、イジェクト部材１５１の第２カード受け部１５３Ｂは、大カードＢの裏返し挿入を防止するために、角部が面取り等によって切り落された大カードＢを受けて良好に係合できるように形成されている。従って、大カードＢを裏返しに挿入した時には、大カードＢの切り欠かれていない角部が第２カード受け部１５３Ｂに当接するために両部材が合致せず、イジェクト部材１５１を作動することができなく、これによって大カードＢの裏差しを防止することができる。
【０１００】
さらにまた、カムレバー１５９の他方の端部１６１は、コネクタ本体１０２の側壁１１７の突出部分に回動可能に取り付けられて支持されている。従って、小カードＡや大カードＢが挿入されて押し込まれて、イジェクト部材１５１が滑動される時に、カムレバー１５９の一方の端部１６０にカム溝１５６が沿ってイジェクト部材１５１が相対的に移動されるようになる。このために、小カードＡが挿入されて、イジェクト部材１５１の第１カード受け部１５３Ａがベース部１１５の第１切欠き部１６７Ａの壁に当接した時に、手を離せば、小カードＡは、僅かに押し戻されて、カムレバー１５９の端部１６０が、ハート形カム１５５の頭部の凹み部１５６に位置されて固持されるようになっている。
【０１０１】
従って、この凹み部１５６の位置において、イジェクト部材１５１がばね部材１５２により押されているために、この凹み部１５７にカムレバー１５９の端部１６０が当接する位置に、ほぼ固定して保持されるようになる。これによって、挿入された小カードＡは、挿入位置に固持されて、小カードＡのパッド部が第１コンタクト部材１０５の接触部１０５Ａに良好に接触された状態が保持されるようになる。
【０１０２】
また、カバー部材１０３には、カムレバー押え１６３が片持ち梁状の板ばねとして形成されており、これによってカムレバー１５９が弾性的に押されていて、カムレバー１５９の端部１６０がカム溝１５６から外れて飛出さないように良好に保持されている。さらに、同様に、カバー部材１０３には、可動板１１０を押圧して保持するための片持ちばね形の可動板押え１６４が設けられている。さらにまた、カバー部材１０３には、凹状のリブ１０３Ａ、１０３Ｂ、１０３Ｃが設けられており、リブ１０３Ａは補強とカード押えとの作用をなし、リブ１０３Ｂ、１０３Ｃは補強のための作用をなしている。
【０１０３】
このように本発明のカード用複合コネクタ１００に装着された小カードＡを、所要の目的を果たした後に、排出させて取り出すためには、カード用複合コネクタ１００に装着されている小カードＡを一度僅かに押して小カードＡのラッチ係合を解除しておいてから、小カードＡを取り出すようになる。すなわち、カード用複合コネクタ１００内に装着されている小カードＡを一度僅かに押すと、ハート形カム１５５の凹み部１５７に位置していたカムレバー１５９の端部１６０が、ハート形カム１５５の凹み部１５７から離れて端部１６０が横方向に動いて凹み部１５７から外れるようになる。
【０１０４】
これによって、カムレバー１５９の端部１６０が自由になってカム溝１５６に沿うようになるので、この状態でイジェクト部材１５１がばね部材１５４によって押されて滑動されるようになる。従って、イジェクト部材１５１は、カード用複合コネクタ１００の中程の位置にまで、ばね部材１５４によって押されて移動されるので、これによって、小カードＡが幾分かほど排出されるようになる。
【０１０５】
続いて、このように幾分かほど排出された小カードＡの露出している方の端部を指で持って小カードＡを引き出せば、小カードＡは、カード用複合コネクタ１００からスムーズに、完全に排出されるようになる。こうして、小カードＡがカード用複合コネクタ１００から完全に排出されると、操作板１１１は初期位置へと下方に押されて戻り、可動板１１０は、ガイド溝１４１に沿って下方の位置に動かされるようになる。従って、可動板１１０も下方位置に固定されて保持されるようになり、初期位置の状態に戻るようになる。また、大カードＢの場合も、実質的にほぼ同じである。
【０１０６】
このように構成された本発明のカード用複合コネクタ１００において、大小の大きさの異なる小カードＡと大カードＢとを実際に使用する場合に就いて次に説明する。
【０１０７】
図示されるように、先ず、小カードＡを使用する場合に、小カードＡは、厚さが薄く、長さが短く、幅も小さい等の外形寸法が小さなカードである。この小カードＡの場合に、幅は、本発明のカード用複合コネクタ１００のカード挿入口１１４における下部段差部１２２間の正常の幅にほぼ等しいか僅かに小さい幅をなしている。従って、小カードＡが、図示されるようにカード用複合コネクタ１００のカード挿入口１１４からカード用複合コネクタ１００内に挿入される時に、小カードＡが挿入でき、可動板１１０の下の位置にスムーズに小カードＡが何等、可動板１１０に当たることなく良好に挿入されるので、小カードＡは、カード挿入口１１４の下部段差部１２２の間に、しかも可動板１１０の下に可動板１１０によって保持されるようになる。従って、可動板１１０は、操作板１１１によって下方位置に固持された状態にある。
【０１０８】
また、小カードＡは、この状態において、可動板１１０の下に挿入されていて、小カードＡの先端部がイジェクト部材１５１の第１カード受け部１５３Ａに当接する。そこで、小カードＡをさらに押して挿入すれば、イジェクト部材１５１の第１カード受け部１５３Ａがベース部１１５の第１切欠き部１６７Ａの壁に当接するので、この時に、手を離せば、小カードＡは、僅かに押し戻されて、カムレバー１５９の端部１６０が、ハート形カム１５５の頭部の凹み部１５６に位置されて固持されるようになる。これによって、挿入された小カードＡは、挿入位置に固持されて、小カードＡのパッド部が第１コンタクト部材１０５の接触部１０５Ａに良好に接触され、この接触状態が保持されるようになる。
【０１０９】
このような状態において、小カードＡは、カード用複合コネクタ１００内に可動板１１０によって保持されて良好に装着されており、自由に抜き出すことができる。また、このように、本発明のカード用複合コネクタ１００内にしっかりと挿入された小カードＡは、カード挿入口１１４の左右のカード保持機構１０８の弾性部材１２８、１２９によって左右から押圧されて弾性支持されており、小カードＡの抜け出て落ちるのが防止されているので、装着時に小カードＡが抜け落ちることがない。さらに、小カードＡは、ばねコンタクト１４６の突部１４６ａが係合することによって、カード認識が行なわれるようになる。このようにして小カードＡを挿入して装着して、所期の目的となる使用が可能となる。
【０１１０】
続いて、小カードＡを取り出すには、そのまま小カードＡを一旦、僅かに押してイジェクト機構１０９のロックを解除した後に、小カードＡの端をもって引き抜けば良く、これによって小カードＡをカード用複合コネクタ１００から好適に抜き出すことができるようになる。
【０１１１】
次に、本発明のカード用複合コネクタ１００に大カードＢを使用する場合に就いて説明する。
【０１１２】
本発明のカード用複合コネクタ１００において、大カードＢを使用する場合には、上記実施例１と同様に、本発明のカード用複合コネクタ１００のカード挿入口１１４から大カードＢが挿入される。
【０１１３】
この大カードＢは、外形寸法が大きく、両側部が段付き形状のカードである。従って、大カードＢをカード挿入口１１４からカード用複合コネクタ１００内に挿入すれば、先ず、大カードＢの先端部が可動板１１０の前端部に当たって可動板１１０を奥の方に押すようになる。このために、可動板１１０は、ガイド溝１４１の水平部１４３に沿って滑動され、続いて、ガイド溝１４１の傾斜部１４２に沿って上方の斜めの方向に押し上げられる。
【０１１４】
こうして、大カードＢの先端部が可動板１１０を上方に押し上げると共に、可動板１１０の下に入りながらカード用複合コネクタ１００内のカード装着部１１２に挿入されて、イジェクト部材１５１の第２カード受け部１５３Ｂに係合してイジェクト部材１５１を押圧できるようになる。この時に、カムレバー１５９の端部１６０がイジェクト部材１５１のカム溝１５６に沿って倣うようにイジェクト部材１５１が滑動されるようになる。
【０１１５】
やがて、カムレバー１５９の端部１６０がカム溝１５６の凹み部１５７のところに位置するようになって、この凹み部１５７においてカムレバー１５９の端部１６０が当接して保持され、イジェクト部材１５１が固定される。このような状態において、大カードＢが完全に挿入されて、大カードＢの下面のパッド部が第２コンタクト部材１０６の接触部１０６Ａと接触されてしっかりと接続されるようになる。このようにして、大カードＢが挿入されて装着され、所期の目的である大カードＢの使用が可能となる。
【０１１６】
次いで、大カードＢを取り出すには、上述したと同様に、一度、大カードＢを僅かに押して、イジェクト機構１０９による大カードＢのラッチ係合を解除しておいてから、大カードＢを取り出すようになる。
【０１１７】
このように構成された本発明の実施例２のカード用複合コネクタ１００において、特徴の１つとして、小カードＡを常に正規位置に確実に案内して保持することができるように構成されている。
【０１１８】
すなわち、上述したように構成された本発明のカード用複合コネクタ１００においては、図４９、図５０に示されるように、小カードＡが常に、カード挿入口１１４の下部段差部１２２間の正規の位置に配置されることが必要である。
【０１１９】
しかしながら、小カードＡは、外形寸法の横方向の幅が小さく、かつ厚さも薄いために、図５１乃至図５４に示されるように、カード挿入口１１４の中段の位置や、上段の位置に誤挿入され易い恐れがある。
【０１２０】
従って、このように小カードＡが、たとえ片寄って、あるいは傾いて挿入されても、正規の位置に案内して装着できるように、本発明のカード用複合コネクタ１００は作用することができるものである。
【０１２１】
例えば、図５１と図５２に示されるように、小カードＡが、カード挿入口１１４の中段の位置に片寄るように挿入される時には、小カードＡの先端角部は、下部段差部１２２に連続して配置された弾性部材１２８の上面部分の上を滑動して傾斜面１３２に当接するために、この傾斜面１３２によって内側へと案内されて下部段差部１２２の側面内側の正規の位置に導かれるようになる。そして、小カードＡをさらに挿入していけば、小カードＡの先端角部は、イジェクト部材１５１の第１カード受け部１５３Ａに当接されて、イジェクト部材１５１をさらに滑動させるようになり、小カードＡが正規の位置に装着されるようになる。
【０１２２】
また、図５３と図５４に示されるように、小カードＡが、カード挿入口１１４の上段の位置に片寄るように挿入される時には、小カードＡの先端角部は、上部段差部１２１の上面のガイド用スロープ１３０上を滑動して、先ず傾斜面１３１に当接して内側へと導かれ、続いて傾斜面１３２に当接するために、この傾斜面１３２によって、さらに内側へと案内されて、下部段差部１２２の側面内側の正規の位置に導かれるようになる。そして、小カードＡをさらに挿入していけば、小カードＡの先端角部は、イジェクト部材１５１の第１カード受け部１５３Ａに当接されてイジェクト部材１５１をさらに滑動させるようになり、小カードＡが正規の位置に装着されるようになる。
【０１２３】
このように、小カードＡが上段や中段の位置に片寄って挿入されても、ガイド用スロープ１３０と傾斜面１３１、１３２とによって、小カードＡが常に下部段差部１２２、１２２間の正規の位置に案内されて配置されるようになる。
【０１２４】
以上に説明したように、本発明のカード用複合コネクタ１００においては、１つのカード用複合コネクタ１００によって大きさの異なる２種類の小カードＡと大カードＢとを、カード自体に何等、特別な細工を施さずに、かつ何の支障も無く、共通して使用することができる。また、本発明によれば、カード用複合コネクタ１００自体を偏平で薄形のハウジング形状のケースとして製作することができ、携帯電話機やゲーム機、ノートパソコン、携帯型オーディオ、テレビ、ビデオ、デジタルカメラ、カラオケ用マイク等のような情報端末機器や各種の電子機器等に好適に使用することが可能である。
【０１２５】
さらに、本発明のカード用複合コネクタ１００においては、可動部分が少ない部材数で済み、しかもシンプルな構造に形成できて、小型化が可能であり、各部材の取換えが容易である等の効果が得られる。
【０１２６】
このように、本発明のカード用複合コネクタにおいては、１つのカード用複合コネクタによって大きさの異なる大小の２種類の第１カードと第２カードとを、カード自体に何等の特別なことを施さずに、かつ何の支障も無く共通して使用することができる。また、本発明によれば、カード用複合コネクタ自体を偏平で薄形のハウジング形状のコネクタ本体とカバー部材とによって製作することができて、低背化して薄形に製作することが可能であり、携帯電話機やゲーム機、ノートパソコン、携帯型オーディオ、テレビ、ビデオ、デジタルカメラ、カラオケ用マイク等のような情報端末機器や各種の電子機器等に好適に使用することが可能である。
【産業上の利用可能性】
【０１２７】
本発明のカード用複合コネクタは、携帯電話機、電話機、ＰＤＡ（personal  digital  assistance）、ゲーム機、ノートパソコン、携帯型オーディオ、テレビ、ビデオ、デジタルカメラ、カラオケ用マイク等のような情報端末機器や各種の電子機器等に利用できる。
【図面の簡単な説明】
【０１２８】
【図１】本発明の一実施例におけるカード用複合コネクタをカード挿入口側から見た全体の斜視図である。
【図２】図１の本発明のカード用複合コネクタの平面図である。
【図３】図１の本発明のカード用複合コネクタをカード挿入口から見た端面図である。
【図４】図１の本発明のカード用複合コネクタを、カバー部材を取外して示す図１と同様な斜視図である。
【図５】図４の本発明のカード用複合コネクタのロック機構部分の拡大部分斜視図である。
【図６】カバー部材を取り外して示す図４の本発明のカード用複合コネクタの平面図である。
【図７】カバー部材を取り外して示す図６の本発明のカード用複合コネクタの側面図である。
【図８】カバー部材を取り外して示す図６の本発明のカード用複合コネクタの底面図である。
【図９】カバー部材を取り外して示す図４のカード用複合コネクタの、さらに操作板を取り外して示す斜視図である。
【図１０】図９のカード用複合コネクタのロック機構のロック部材部分の拡大部分斜視図である。
【図１１】図１の本発明のカード用複合コネクタに小カードを挿入した時の、カバー部材を取り外して示す平面図である。
【図１２】図１１のカード用複合コネクタの側面図である。
【図１３】図１１のカード用複合コネクタのカード挿入口から見た端面図である。
【図１４】図１１の本発明のカード用複合コネクタに小カードを挿入した時のカバー部材を取り外して示す平面図である。
【図１５】図１４のカード用複合コネクタのロック機構部分の拡大部分斜視図である。
【図１６】図１４のカード用複合コネクタの側面図である。
【図１７】図１４のＸＶＩＩ−ＸＶＩＩ線に沿った断面図である。
【図１８】図１６のロック機構部分の拡大部分図である。
【図１９】図１７のロック機構部分の拡大部分断面図である。
【図２０】本発明のカード用複合コネクタに大カードを挿入した時の、カバー部材を取り外して示す全体の平面図である。
【図２１】図２０の側面図である。
【図２２】図２０のカード挿入口側からの端面図である。
【図２３】図２０の本発明のカード用複合コネクタを、大カードを挿入し始めた状態を、カバー部材を取り外して示す平面図である。
【図２４】図２３の本発明のカード用複合コネクタのロック機構部分を示す拡大部分斜視図である。
【図２５】図２３の本発明のカード用複合コネクタのカバー部材を取外して示す側面図である。
【図２６】図２３のＸＸＶＩ−ＸＸＶＩ線に沿った断面図である。
【図２７】図２５のロック機構部分の拡大部分図である。
【図２８】図２７の断面拡大部分図である。
【図２９】図２３の状態から、さらに大カードを挿入した時の同様な平面図である。
【図３０】図２９の本発明のカード用複合コネクタのロック機構部分を示す拡大部分斜視図である。
【図３１】図２９の本発明のカード用複合コネクタの側面図である。
【図３２】図２９のＸＸＸＩＩ−ＸＸＸＩＩ線に沿った断面図である。
【図３３】図３１のロック機構部分の拡大部分図である。
【図３４】図３２のロック機構部分の断面拡大部分図である。
【図３５】図２９の状態から、大カードを完全に挿入した時の同様な平面図である。
【図３６】図３５の本発明のカード用複合コネクタのロック機構部分の拡大部分斜視図である。
【図３７】図３５の本発明のカード用複合コネクタの拡大側面図である。
【図３８】図３５のＸＸＸＶＩＩＩ−ＸＸＸＶＩＩＩ線に沿った拡大断面図である。
【図３９】大カードを完全に挿入した時の本発明のカード用複合コネクタを、カバー部材と可動板と操作板とを取り外して示す斜視図である。
【図４０】図３９の本発明のカード用複合コネクタのライトプロテクトコンタクトと大カードの凹み部とを示す拡大部分斜視図である。
【図４１】本発明の実施例２におけるカード用複合コネクタをカード挿入口側から見た全体の斜視図である。
【図４２】図４１のカード用複合コネクタを、カバー部材を取外して示す斜視図である。
【図４３】図４１のカード用複合コネクタを、さらにカバー部材と操作板と可動板とを取外して示す斜視図である。
【図４４】図４３の対向する側方から見た同様な斜視図である。
【図４５】図４１の本発明の実施例２のカード用複合コネクタを、カバー部材と操作板と可動板とを取外して示すカード挿入口側から見た端面図である。
【図４６】図４３の本発明のカード用複合コネクタを、カード挿入口のカードガイド部分を拡大して示す拡大部分図を有する斜視図である。
【図４７】図４６の本発明のカード用複合コネクタを、カード挿入口のカードガイド部分を拡大して示す拡大部分図を有する平面図である。
【図４８】図４１の本発明の実施例２のカード用複合コネクタに小カードを挿入する時の、カバー部材と操作板とを取外して示す斜視図である。
【図４９】図４１の本発明の実施例２のカード用複合コネクタに小カードを挿入する時の、カバー部材と操作板と可動板とを取外して示す正規位置での斜視図である。
【図５０】図４９に対する平面図である。
【図５１】図４１の本発明の実施例２のカード用複合コネクタに小カードを挿入する時の、カバー部材と操作板と可動板とを取外して示すカードガイド中段位置での斜視図である。
【図５２】図５１に対する平面図である。
【図５３】図４１の本発明の実施例２のカード用複合コネクタに小カードを挿入する時の、カバー部材と操作板と可動板とを取外して示すカードガイド上段位置での斜視図である。
【図５４】図５３に対する平面図である。
【符号の説明】
【０１２９】
１、１００      カード用複合コネクタ
２、１０２      コネクタ本体
３、１０３      カバー部材
４、１０４      コンタクト
５、１０５      第１コンタクト
６、１０６      第２コンタクト
７、１０７      切換作動機構
８              ロック機構
９、１０９      イジェクト機構
１０、１１０    可動板
１１、１１１    操作板
１２、１１２    カード装着部
１３、１１３    開口部
１４、１１４    カード挿入口
１５、１１５    ベース部
１６、１１６    端壁
１７、１１７    側壁
１８、１１８    側壁
１９、１１９    枠形部材
２０、１２０    段差部
２１、１２１    上部段差部
２２、１２２    下部段差部
２３、１２３    突起
２４、１２４    折曲部
２５、１２５    窓孔部
２６            ガイド壁
２７、１２７    支持台部
２８            ロックアーム
２９            ロック爪
３０            ロック部材
３１            突部
３２            ばね係止部
３３            ばね部材
３４            溝
３５            折曲部  
３６            突起
３７            カード押え
３８            彎曲部
４０            折曲部
４１、１４１    ガイド溝
４２、１４２    傾斜部
４３、１４３    水平部
４４、１４４    カード押え
４５、１４５    タブ
４６、１４６    ばねコンタクト
４７、１４７    カード認識コンタクト
４８、１４８    カード認識コンタクト
４９、１４９    スイッチコンタクト
５０、１５０    ばね片部材
５１、１５１    イジェクト部材
５２、１５２    ばね部材
５３、１５３    カード受け部
５４、１５４    ライトプロテクトコンタクト
５５、１５５    ハート形カム
５６、１５６    カム溝
５７、１５７    凹み部
５８、１５８    ばね収容部  
５９、１５０    カムレバー
６０、１６０    端部
６１、１６１    端部
６３、１６３    カムレバー押え
６４、１６４    可動板押え
６６、１６６    押圧部
６７、１６７    切欠き部
７０            ライトプロテクトコンタクトキー
７１            凹み部
１０８          カード保持機構
１２８、１２９  弾性部材
１３０          ガイド用スロープ
１３１、１３２  傾斜面
【図１】
2004311416.tif 000003
【図２】
2004311416.tif 000004
【図３】
2004311416.tif 000005
【図４】
2004311416.tif 000006
【図５】
2004311416.tif 000007
【図６】
2004311416.tif 000008
【図７】
2004311416.tif 000009
【図８】
2004311416.tif 000010
【図９】
2004311416.tif 000011
【図１０】
2004311416.tif 000012
【図１１】
2004311416.tif 000013
【図１２】
2004311416.tif 000014
【図１３】
2004311416.tif 000015
【図１４】
2004311416.tif 000016
【図１５】
2004311416.tif 000017
【図１６】
2004311416.tif 000018
【図１７】
2004311416.tif 000019
【図１８】
2004311416.tif 000020
【図１９】
2004311416.tif 000021
【図２０】
2004311416.tif 000022
【図２１】
2004311416.tif 000023
【図２２】
2004311416.tif 000024
【図２３】
2004311416.tif 000025
【図２４】
2004311416.tif 000026
【図２５】
2004311416.tif 000027
【図２６】
2004311416.tif 000028
【図２７】
2004311416.tif 000029
【図２８】
2004311416.tif 000030
【図２９】
2004311416.tif 000031
【図３０】
2004311416.tif 000032
【図３１】
2004311416.tif 000033
【図３２】
2004311416.tif 000034
【図３３】
2004311416.tif 000035
【図３４】
2004311416.tif 000036
【図３５】
2004311416.tif 000037
【図３６】
2004311416.tif 000038
【図３７】
2004311416.tif 000039
【図３８】
2004311416.tif 000040
【図３９】
2004311416.tif 000041
【図４０】
2004311416.tif 000042
【図４１】
2004311416.tif 000043
【図４２】
2004311416.tif 000044
【図４３】
2004311416.tif 000045
【図４４】
2004311416.tif 000046
【図４５】
2004311416.tif 000047
【図４６】
2004311416.tif 000048
【図４７】
2004311416.tif 000049
【図４８】
2004311416.tif 000050
【図４９】
2004311416.tif 000051
【図５０】
2004311416.tif 000052
【図５１】
2004311416.tif 000053
【図５２】
2004311416.tif 000054
【図５３】
2004311416.tif 000055
【図５４】
2004311416.tif 000056